(57)【要約】【課題】  手洗器や洗面器を壁面に固定する際、手洗器や洗面器の前端の壁面からの前出寸法を小さくでき、かつ固定する部分を隠蔽することができ、意匠的にも好適な手洗器または洗面器の取付装置を提供する【解決手段】  手洗器又は洗面器の取付装置であって、前記取付装置は、前記手洗器又は洗面器を載置固定する載置部と、この載置部の前記壁面側の端部にほぼ直交状に立設した板状の壁面固定部とを備え、前記載置部は前記手洗器又は洗面器の排水口に連結する排水管を貫通させるための排水貫通孔を設け、前記壁面固定部は前記載置部の上方に突出した上方突出部と下方に突出した下方突出部とを有し、前記上方突出部に前記壁面に固定するための壁面取付け用ネジ部材が貫通する貫通孔を穿設している【選択図】  図１
2005118181.tif 000002
【特許請求の範囲】
【請求項１】
手洗器又は洗面器の取付装置であって、
前記取付装置は、前記手洗器又は洗面器を載置固定する載置部と、この載置部の前記壁面側の端部にほぼ直交状に立設した板状の壁面固定部とを備え、
前記載置部は前記手洗器又は洗面器の排水口に連結する排水管を貫通させるための排水貫通孔を設け、
前記壁面固定部は前記載置部の上方に突出した上方突出部と下方に突出した下方突出部とを有し、前記上方突出部に前記壁面に固定するための壁面取付け用ネジ部材が貫通する貫通孔を穿設していることを特徴とする手洗器又は洗面器の取付装置。
【請求項２】
前記載置部の少なくとも左右側部の周縁部から下方に垂下した帯状の垂下壁部を設け、この垂下壁部が前記下方突出部と連接していることを特徴とする請求項１記載の手洗器又は洗面器の取付装置。
【請求項３】
前記載置部の左右側部及び前方側部の周縁部から下方に垂下し連続した帯状の垂下壁部を設け、この垂下壁部が前記下方突出部と連接していると共に、前記垂下壁部の垂下長さ寸法が前記載置部の裏面に形成した内部補強リブの突出長さ寸法とほぼ同じ、若しくは大きいことを特徴とする請求項１に記載の手洗器又は洗面器の取付部材。
【請求項４】
前記載置部には、前記手洗器又は洗面器に設けられた取付け孔と対向する位置に固定用ネジ部材が貫通する固定用孔を穿設し、前記手洗器又は洗面器は前記固定用ネジ部材によって前記載置部を挟み込んで固定され、前記固定用ネジ部材の前記載置部裏面からの突出長さ寸法は前記垂下壁部の垂下長さ寸法とほぼ同じ、若しくは小さいことを特徴とする請求項１〜３いずれか一項に記載の手洗器又は洗面器の取付装置。
【請求項５】
前記手洗器又は洗面器には給水栓が一体に取り付けられ、前記載置部には、前記排水貫通穴と前記壁面に対して横方向に離間した位置に給水栓の給水管を貫通させるための給水貫通穴を穿設していることを特徴とする請求項１〜４いずれか一項に記載の手洗器又は洗面器の取付装置。
【発明の詳細な説明】
【技術分野】
【０００１】
本発明は、手洗器や洗面器を壁に取り付け固定するための取付装置に係り、手洗器、洗面器の前端の壁面からの前出寸法を小さくでき、かつ固定した部分を隠蔽することによって意匠的にも好適な手洗器または洗面器の取付装置に関する。 
【背景技術】
【０００２】
従来のトイレ空間における手洗手段としては、大便器の後ろに配設したロータンクの上に手洗器が設置されており、使用者はトイレ使用後にここで手を洗っていた。しかし、ロータンクの上の手洗器は大便器の上を越えて使用せねばならず、その使用勝手が悪かった。また、トイレ空間では近年、タンクレストイレといわれるローシルエット大便器が、その意匠性とコンパクト性の高さから市場が拡大している。しかし、前記のローシルエット大便器にはタンクがなく、手洗器が設置できない。このためにトイレ内の側壁面に別途手洗器を設置する動きが見られるが、トイレの間口は狭く、手洗器は設置できるスペースには限りがある問題があった。
【０００３】
この場合の例を図８〜１０を用いて説明する。
図８に比較的狭い標準的なトイレブースの場合の平面図を示す。四隅に角１０５ｍｍの柱１０１があり、その間に４５５ｍｍピッチで４５×１０５の間柱１０２を入れている。柱の内側には厚さ１２ｍｍ程度のコンパネや石膏ボード１０３を打ち付け、その表面を壁紙等の仕上げ材１０４を貼り付けて、内壁を構成している。このため、トイレブースの内寸は７８０×１２３５ｍｍ程度となり狭い。このトイレブースの入り口トイレドア８に対して、短辺側奥にローシルエット大便器６、側面側に従来の壁掛式の手洗器７を設置している。図８を見ても明らかなように、手洗器７の張り出しが大きく、トイレドアを開けての手洗器７を避けながらローシルエット大便器６へアプローチせねばならず、入室が困難になっている。
【０００４】
この原因の一つが壁掛式の手洗器の固定方法にあった。即ち、従来の壁掛式の手洗器の固定方法としては、バックハンガー式が一般的であった。（例えば、特許文献１参照。）。図９と１０に、従来のバックハンガー式固定方法の取付前断面図と取付後断面図を示す。バックハンガー１１１はバックハンガー取付ネジ１１２を用いて壁面に取り付ける。バックハンガー１１１の傾斜部に対して手洗器背面の袋部１１３を引っ掛け、下部固定ネジ穴１１４を通して図示しないネジで壁に固定する。この場合、バックハンガーに掛ける手洗器背面の袋部１１３を形成するため、壁面と手洗器ボールの最背面１１５の間に広い空隙が必要になる。また、手洗いのしやすさの確保のためには手洗器ボールの最前面１１６と手洗器ボールの最背面１１５の間はある程度のサイズ（１５０〜２００ｍｍ程度)が必要であり、手洗い性とコンパクト性を両立することが困難であった。
【０００５】
また、従来の壁掛式の手洗器の固定の別の方法としては、カウンターと、カウンター裏面と壁面を指示するアーム部を持つブラケットで構成されるカウンターブラケット式が一般的に知られている。（例えば、特許文献２参照。）。
しかし、この場合もカウンターの正面からの見た場合、ブラケットの三角形の補強部分が下方向に大きく張り出し、また、壁面への固定ネジ部が見える部分に露出するため、意匠上の問題があった。これは、カウンター上部よりかかる荷重（モーメント）を十分に受けるためには ブラケットの壁面に接する縦方向の長さをとる必要があることと、これらをすべて、カウンター下の部分で構成していることから発生する問題である。
【特許文献１】特開平１０−５１４０号公報（第４頁、第２図）
【特許文献２】特開２０００−１０６９６６号公報（第６頁、第１図）
【発明の開示】
【発明が解決しようとする課題】
【０００６】
本発明は、上記問題を解決するためになされたもので、本発明の課題は、手洗器や洗面器を壁面に固定する際、手洗器や洗面器の前端の壁面からの前出寸法を小さくでき、かつ固定する部分を隠蔽することができ、意匠的にも好適な手洗器または洗面器の取付装置を提供することである。
【課題を解決するための手段】
【０００７】
上記目的を達成するために、本発明の手洗器又は洗面器の取付装置は、前記手洗器又は洗面器を載置固定する載置部と、この載置部の前記壁面側の端部にほぼ直交状に立設した板状の壁面固定部とを備え、前記載置部は前記手洗器又は洗面器の排水口に連結する排水管を貫通させるための排水管貫通孔を設け、前記壁面固定部は前記載置部の上方に突出した上方突出部と下方に突出した下方突出部とを有し、前記上方突出部に前記壁面に固定するための壁面取付け用ネジ部材が貫通する貫通孔を穿設していることを特徴とする。
【０００８】
このように構成された本発明においては、この手洗器又は洗面器の取付装置は貫通孔を用いて壁面に固定された後、前記載置部に手洗器又は洗面器を載置固定するため手洗器又は洗面器のボール最背面と壁面の間のスペースを極小にすることができ、ボール部の大きさを確保して手洗い性を損なわず、手洗器又は洗面器の前端の壁面からの前出を小さくできる。また、前記上方突出部に設けた貫通孔の高さ位置を手洗器又は洗面器を前記載置部に載置固定した状態で手洗器又は洗面器の高さ位置より低い位置に設けることにより覆い隠され、不格好な壁固定用ネジ部材の頭等が露出せず、意匠的にも向上させることが可能である。
【０００９】
また、壁面固定部において壁面と固定するための機能を果たす前記上方突出部が載置部よりも上方に設けられているため、前記下方突出部の突出長さは手洗器または洗面器にかかるモーメントを受けるに必要な長さを確保するだけでよく、意匠的な面からは最小としたい下方の延出長さを小さくすることができる。
【００１０】
本発明において、好ましくは、前記載置部の少なくとも左右側部の周縁部から下方に垂下された帯状の垂下壁部を設け、この垂下壁部が前記下方突出部と連接している。
このように構成された本発明においては、上記垂下壁部により載置部と壁面固定部を一体化した補強リブ部分を形成することが可能で、手洗器又は洗面器上部からの荷重に耐えることができる構造を、意匠性を損なうことなく構成することが可能である。
【００１１】
本発明において、好ましくは、前記載置部の左右側部及び前方側部の周縁部から下方に垂下され連続した帯状の垂下壁部を設け、この垂下壁部が前記下方突出部と連接していると共に、前記垂下壁部の垂下長さ寸法が前記載置部の裏面に形成した内部補強リブの突出長さ寸法とほぼ同じ若しくは大きくしている。
このように構成された本発明においては、載置部の外周すべてに垂下壁部を設けることによって、補強リブの効果を高めることができる。さらに、載置部の外周面以外の裏面に形成された内部補強リブによっても強度アップを図り、その内部補強リブは正面から見た場合も垂下壁部から露出しないため、意匠性を損なうことなく十分な補強が可能となる。
【００１２】
本発明において、好ましくは、前記載置部には、前記手洗器又は洗面器に設けられた取付け孔と対向する位置に固定用ネジ部材が貫通する固定用孔を穿設し、前記手洗器又は洗面器は前記固定用ネジ部材によって前記載置部を挟み込んで固定され、前記固定用ネジ部材の前記載置部裏面からの突出長さ寸法は前記垂下壁部の垂下長さ寸法とほぼ同じ若しくは小さくしている。
【００１３】
このように構成された本発明においては、手洗器又は洗面器とその固定装置の結合に用いる固定用ネジ部材を載置部の外周すべてに形成された垂下壁部の内部に隠蔽することができ、意匠性を損なうことなく、取付が可能となる。また、手洗器又は洗面器の底面を固定に利用するため壁面からの突出寸法を抑える効果もある。
【００１４】
本発明において、好ましくは、前記手洗器又は洗面器には給水栓が一体に取り付けられ、前記載置部には、前記排水貫通穴と前記壁面に対して横方向に離間した位置に給水栓の給水管を貫通させるための給水貫通穴を穿設している。  
このように構成された本発明においては、手洗器又は洗面器に使用する給水栓の位置は壁面と手洗器又は洗面器のボール部との間に設けることが一般的であるが、給水栓をボール部の横方向に設けることによって、手洗器又は洗面器の壁面からの前出寸法をさらに押さえることが可能である。この給水栓の位置も含めた手洗器又は洗面器全体を載置するように載置部を設けることによって、強度が向上し、手洗器又は洗面器の幅と取付装置の幅がほぼ等々となり、意匠上のバランスも向上させることが可能である。
【発明の効果】
【００１５】
本発明によれば、壁面に取り付けられて使用する手洗器や洗面器の壁面からの前出寸法を小さくでき、かつ固定する部分を隠蔽することができ、意匠的にも好適な壁取付けタイプの手洗器または洗面器が実現できる。
【発明を実施するための最良の形態】
【００１６】
以下、本発明の実施形態を図面に基づいて説明する。
図１は本発明に係る一実施例の取付装置を示す斜視図である。図２は図１に示す取付装置に手洗器を取り付けた状態を示す断面図である。
【００１７】
取付装置１は、手洗器２を設置する載置部１１と、その載置部１１の壁面側端部に上部と下部にほぼ直交して連設した上部突出部１２ｂと下部突出部１２ａを有する板状の壁面固定部１２とから構成している。載置部１１には、手洗器２の排水口に接続される排水管が貫通する排水貫通穴１５と手洗器２を固定する時に使用する固定用穴１６が開孔されている。壁面固定部１２の下部突出部１２ａを荷重伝達部とし、載置部１１に設置された手洗器２の荷重に基づくモーメント力を壁面に伝達しており、壁面固定部１２の上部突出部１２ｂに壁固定用のネジ穴１９が開孔されている。ネジ穴１９は上部の４カ所は皿穴２１で、下部の２カ所は長穴２２で構成されている。これらの使用法は、まず、２カ所の長穴部分に長穴用ネジ３２で壁面への仮固定をし、水準器等を用いて水平を調節した後、皿穴部分に皿ネジ３１を用いて本固定する。その後、長穴用ネジ３２も増し締めしておく。
【００１８】
載置部１１の両側側方には、鉛直下方に折り曲げられており、また、前側も鉛直下方に折り曲げられており、この折り曲げられた部分によって垂下壁部１４が形成されている。また、載置部１１と下部突出部１２ａの接合部には内部補強リブ１７、下部突出部１２ｂとの接合部には上部補強リブ１８を設置し、強度を向上させている。この上部補強リブ１８は手洗器２の前出に影響を与えないように図２に示すようにバック面の隙間に挿入されるように構成されている。このように上部突出部１２ｂは板状体で構成されるが、その形状は手洗器２のバック面の隙間の形状を利用したものであるため、直方体形状に限定されるものではなく、様々な形状が可能である。
【００１９】
図２のように本実施例では内部補強リブ１７の下端と垂下壁部１４の下端位置を一致させている。このため、正面視では垂下壁部１４から内部補強リブ１７が露出することはなく、意匠性を損なうことがない。さらに、通常の使用時には使用者は立っているため、目線位置はもっと高いところにあり、補強リブ１７の下端は多少はさらに下へ延長垂下しても、掃除などによってかがみこんで近づかない限り、実質上は問題ない。
【００２０】
図３に本発明の別の実施例を示す。載置部１１の排水貫通穴１５の右側に給水栓３の給水管が通る給水貫通穴２０が開孔している。給水栓３を手洗器２のボール部５１の横方向に設けることによって、手洗器２の前出をさらに押さえることが可能である。
【００２１】
図４に手洗器の取付装置１と手洗器２と給水栓３と排水金具４と止水栓５の設置の正面図を示す。上部突出部１２ｂは手洗器２の背面に隠蔽され、固定用のねじ等は露出しない状態になっている。また、給水栓３と排水金具４と止水栓５等はニッケル・クロムめっき仕上げをされている場合が多いが、手洗器の取付装置１の垂下壁部１４を同様の金属光沢仕上げにすることで、意匠性の統一を図ることも可能である。
【００２２】
図５は図３に示す手洗器をトイレブース内に設置した場合の平面図を示す。手洗器部以外の図の構成は前述の図８と同様である。手洗器はボール部５１を手洗い可能な最小寸法に押さえ、また、本発明の取付装置を用いることによって手洗器の背面の袋部分を最小にすることが可能となる。結果として、図８との比較で明らかなように手洗器の前出を最小にすることができ、狭い間口のトイレでも十分に利用可能な状態を構成することを実現している。
【００２３】
図６は本発明の手洗器の取付装置１と手洗器２の固定方法を示す正面図である。本実施例では固定ネジ９はフックボルト３３とワッシャ３４と蝶ナット３５で構成されている。フックボルト３３は手洗器の底面に開孔された手洗器固定穴５２を通じて手洗器２の内部に引っかかるように固定される。手洗器固定穴５２を貫通したフックボルト５２のボルト部分はさらに手洗器の取付装置の固定用穴１６を貫通し、ワッシャ３４と蝶ナット３５で締め付け固定されている。フックボルト３３と蝶ナット３５の先端は帯状部１４の垂下長さより小さいため、正面視で帯状部１４の下端よりも出ていないことがわかる。
また、固定用穴１６はフックボルト径に比べて十分に大きいため、陶器製の手洗器の製造誤差等が発生した場合に、位置を調整することも可能である。
【００２４】
図７は本発明の手洗器の取付装置１と手洗器２の別の固定方法を示す正面図である。本実施例では固定ネジ９はグロメット３６を使用し、グロメットフレーム３７と回転自在ナット３８とワッシャ３９とグロメットネジ４０で構成されている。回転自在ナット３８は回転軸がグロメットフレームのスライド溝に嵌る構造で、この図上では上下方向にスライドしながら回転が可能である。取付方法は、まず、グロメットフレーム３７を手洗器固定穴５２に差込み、内部で回転自在ナット３８を回転させ、回転自在ナット３８を手洗器２の内部に引っ掛ける。その後、取付装置１の上に載置し、裏面からワッシャ３９を介してグロメットネジ４０で締め付け固定する。この場合もグロメットネジ４０の先端は正面視で垂下壁部１４の下端よりも出ていないことがわかる。
また、この場合も固定用穴１６はグロメットネジ径に比べて十分に大きいため、陶器製の手洗器の製造誤差等が発生した場合に、位置を調整することも可能である。
【図面の簡単な説明】
【００２５】
【図１】本発明に係る一実施例の取付装置の斜視図である。
【図２】図１の取付装置に手洗器に取り付けた状態を示す断面図である。
【図３】本発明の別の実施例の手洗器及び取付装置を示す斜視図である。
【図４】図３に示す給水栓３を取り付けた手洗器２を取付装置１に取付け固定して、排水金具及び止水栓と連結した状態を示す正面図である。
【図５】図３に示す手洗器２をトイレブース内に設置した場合の平面図である。
【図６】図３に示す取付装置と手洗器の固定方法を説明するための正面図である。
【図７】図３に示す取付装置と手洗器の別の固定方法を説明するための正面図である。
【図８】比較的狭い標準的なトイレブース内に手洗器を設置した場合の平面図である。
【図９】従来のバックハンガー式固定方法の取付前断面図である。
【図１０】従来のバックハンガー式固定方法の取付後断面図である。
【符号の説明】
【００２６】
１…取付装置
２…手洗器
３…給水栓
４…排水金具
５…止水栓
６…ローシルエット大便器
７…従来の壁掛式手洗器
８…トイレドア
９…固定ネジ
１１…載置部
１２…壁面固定部
１２ａ…下方突出部
１２ｂ…上方突出部
１４…垂下壁部
１５…排水貫通穴
１６…固定用穴
１７…内部補強リブ
１８…上部補強リブ
１９…ネジ穴
２０…給水貫通穴
３１…皿ネジ
３２…長穴用ネジ
３３…フックボルト
３４…ワッシャ
３５…蝶ナット
３６…グロメット
３７…グロメットフレーム
３８…ナット部
３９…ワッシャ
４０…グロメットネジ
５１…ボール部
５２…手洗器固定穴
１０１…柱
１０２…間柱
１０３…コンパネや石膏ボード
１０４…仕上げ材
１１１…バックガンガー
１１２…バックハンガー固定ネジ
１１３…手洗器背面の袋部
１１４…下部固定ネジ穴
１１５…手洗器ボールの最背面
１１６…手洗器ボールの最前面
【図１】
2005118181.tif 000003
【図２】
2005118181.tif 000004
【図３】
2005118181.tif 000005
【図４】
2005118181.tif 000006
【図５】
2005118181.tif 000007
【図６】
2005118181.tif 000008
【図７】
2005118181.tif 000009
【図８】
2005118181.tif 000010
【図９】
2005118181.tif 000011
【図１０】
2005118181.tif 000012